(57)【要約】【課題】この発明は、自分の似顔絵を簡単に作成しデジタル化する。様々な場面すなわち、シールで使ったり、名刺に刷り込んだり、似顔絵印鑑として利用したり、Tシャツ等にプリントするだけでなく、携帯電話の待受け画面として利用したり、さらにはキャラ電やアバターとして利用したりできる。撮影された顔とあらかじめデータベース化されている顔パーツとのマッチングを行い、大きさ・位置・色・傾き等のデータをパーツに付加してコード化する。次に、コード化されたデータをもとに似顔絵を画面等に自動出力する。出力された似顔絵は利用者の手により調整することも可能である。この似顔絵は対応したコード番号を持つ。【解決手段】撮影された顔とあらかじめデータベース化されている顔パーツとのマッチングを行い、大きさ・位置・色・傾き等のデータをパーツに付加してコード化する。次に、コード化されたデータをもとに似顔絵を画面等に自動出力する。出力された似顔絵は利用者の手により調整することも可能である。【選択図】図１
2007164408.tif 000002
【特許請求の範囲】
【請求項１】
目、鼻、口、眉、顎、髪等複数の顔パーツの形状が予めデータベース化されて記憶されている記憶手段と、利用者の顔画像を撮影する撮影手段と、上記撮影手段により撮影された顔の部品と上記記憶手段に記憶されている全ての人の顔パーツの形状の類似度を算出して最も類似性の高い顔パーツの形状を選択する選択手段と、上記撮影手段より得られた顔の部品の大きさ、位置、傾き、色を算出する算出手段と、上記選択手段によって得られた顔パーツと上記算出手段によって得られたデータを組み合わせて１個の似顔絵としてコード化する算出手段と、上記データによってつくられた顔を表示する表示手段と、表示された顔パーツを変形して調整する調製手段と、調製手段によって変形された顔に基づいて１個の似顔絵として再コード化する算出手段と、上記データを記憶する記憶手段と、上記データを保存する保存手段と、上記データによってつくられた顔を表示する表示手段と、を具備したことを特徴とする顔画像認識システム。
【請求項２】
利用者が利用可能なユーザ端末と、上記ユーザ端末の通信が可能なサーバ装置とを有する顔画像認識システムにおいて、上記ユーザ端末は、目、鼻、口等複数の顔パーツの形状が予めデータベース化されて記憶されている記憶手段と、利用者の顔画像を撮影する撮影手段と、上記撮影手段により撮影された顔の部品と上記記憶手段に記憶されている全ての人の顔パーツの形状の類似度を算出して最も類似性の高い顔パーツの形状を選択する選択手段と、上記撮影手段より得られた顔の部品の大きさ、位置、傾き、色を算出する算出手段と、上記選択手段によって得られた顔パーツと上記算出手段によって得られたデータを組み合わせて１個の似顔絵としてコード化する算出手段と、上記データによってつくられた顔を表示する表示手段と、表示された顔パーツを変形して調整する調製手段と、調製手段によって変形された顔に基づいて１個の似顔絵として再コード化する算出手段と、上記データを記憶する記憶手段と、上記データをユーザ端末とサーバ装置に保存する保存手段と、上記データによってつくられた顔を表示する表示手段と、を有し、上記サーバ装置は、予めデータベース化された目、鼻、口等複数の顔パーツの形状や顔の部品の大きさ、位置、傾き、色のコードが記憶されている記憶手段と、コードのデータによってつくられた顔を表示する表示手段と、を有する、ことを特徴とする顔画像認識システム。
【請求項３】
利用者が利用可能なユーザ端末と、上記ユーザ端末の通信が可能なサーバ装置とを有する顔画像認識システムにおいて、上記ユーザ端末は、既に保存されている固有の顔のコードを入力する入力手段と、上記の顔のコードをユーザ端末からの通信が可能なサーバ装置に送信する送信手段と、上記サーバ装置から上記の顔のコードに該当する顔の画像データを受信する受信手段と、受信した画像データを表示・記憶・保存する表示・記憶・保存手段と、上記サーバ装置は、ユーザ端末から送信された顔のコードを受信する受信手段と、上記の顔のコードに該当する顔の画像データに変換する変換手段と、変換された顔の画像データを上記ユーザ端末に送信する送信手段と、を有する、ことを特徴とする顔画像認識システム。
【発明の詳細な説明】
【技術分野】
【０００１】
この発明は、顔認識技術を用いて、撮影された顔とあらかじめデータベース化されている顔パーツとのマッチングを行い、大きさ・位置・色・傾き等のデータをパーツに付加してコード化する方法と、コード化されたデータをもとに似顔絵を画面等に自動出力する方法と、出力された似顔絵を利用者の手により調整する方法に関する。
【背景技術】
【０００２】
従来、通常の顔認識技術では、顔認識技術を用いて抽出される顔のデジタルデータは本人の特徴をできるだけ忠実に再現しようとするものであり、その顔の特徴を類型化しようとするものではない。
【０００３】
顔認識技術を用いてその顔の特徴を類型化できれば、顔データの容量を軽減化できて通信回線の負担を減らし、さらに、類型化したデータを用いてピカソ風・竹久夢二風・棟方志功風などに画風を変える事が容易となり、利用範囲が多角化する。
【特許文献１】特開２００３−２７１９３４号公報
【発明の開示】
【発明が解決しようとする課題】
【０００４】
顔認識技術を用いてその顔の特徴を類型化するために、撮影された顔とあらかじめデータベース化されている顔パーツとのマッチングを行い、大きさ・位置・色・傾き等のデータをパーツに付加してコード化する方法と、コード化されたデータをもとに似顔絵を画面等に自動出力する方法と、出力された似顔絵を利用者の手により調整する方法と、コードを元にインターネット等の回線を通じて似顔絵を入手する方法と、を提供することを目的とする。
【課題を解決するための手段】
【０００５】
上述の如き本発明の目的を達成するために、本願の請求項１に係る発明では、目、鼻、口等複数の顔パーツの形状が予めコード化されて記憶されている記憶手段と、利用者の顔画像を撮影する撮影手段と、上記撮影手段により撮影された顔の部品と上記記憶手段に記憶されている全ての人の顔パーツの形状の類似度を算出して最も類似性の高い顔パーツの形状を選択する選択手段と、上記撮影手段より得られた顔の部品の大きさ、位置、傾き、色を算出する算出手段と、上記選択手段によって得られた顔パーツと上記算出手段によって得られたデータを組み合わせて１個の似顔絵としてコード化する算出手段と、上記データによってつくられた顔を表示する表示手段と、表示された顔パーツを任意に変形して調整する調製手段と、調製手段によって変形された顔に基づいて１個の似顔絵として再コード化する算出手段と、上記データを記憶する記憶手段と、上記データを保存する保存手段と、上記データによってつくられた顔を表示する表示手段と、を具備したことを特徴とする顔画像認識システムを提供する。
【０００６】
本願の請求項２に係る発明では、利用者が利用可能なユーザ端末と、上記ユーザ端末の通信が可能なサーバ装置とを有する顔画像認識システムにおいて、上記ユーザ端末は、目、鼻、口等複数の顔パーツの形状が予めコード化されて記憶されている記憶手段と、利用者の顔画像を撮影する撮影手段と、上記撮影手段により撮影された顔の部品と上記記憶手段に記憶されている全ての人の顔パーツの形状の類似度を算出して最も類似性の高い顔パーツの形状を選択する選択手段と、上記撮影手段より得られた顔の部品の大きさ、位置、傾き、色を算出する算出手段と、上記選択手段によって得られた顔パーツと上記算出手段によって得られたデータを組み合わせて１個の似顔絵としてコード化する算出手段と、上記データによってつくられた顔を表示する表示手段と、表示された顔パーツを任意に変形して調整する調製手段と、調製手段によって変形された顔に基づいて１個の似顔絵として再コード化する算出手段と、上記データを記憶する記憶手段と、上記データをユーザ端末とサーバ装置に保存する保存手段と、上記データによってつくられた顔を表示する表示手段と、を有し、上記サーバ装置は、予めコード化された目、鼻、口等複数の顔パーツの形状や顔の部品の大きさ、位置、傾き、色のコードが記憶されている記憶手段と、コードのデータによってつくられた顔を表示する表示手段と、を有する、ことを特徴とする顔画像認識システムを提供する。
【０００７】
本願の請求項３に係る発明では、利用者が利用可能なユーザ端末と、上記ユーザ端末の通信が可能なサーバ装置とを有する顔画像認識システムにおいて、上記ユーザ端末は、既に保存されている固有の顔のコードを入力する入力手段と、上記の顔のコードをユーザ端末からの通信が可能なサーバ装置に送信する送信手段と、上記サーバ装置から上記の顔のコードに該当する顔の画像データを受信する受信手段と、受信した画像データを表示・記憶・保存する表示・記憶・保存手段と、上記サーバ装置は、ユーザ端末から送信された顔のコードを受信する受信手段と、上記の顔のコードに該当する顔の画像データに変換する変換手段と、変換された顔の画像データを上記ユーザ端末に送信する送信手段と、を有する、ことを特徴とする顔画像認識システムを提供する。
【発明を実施するための最良の形態】
【０００８】
以下、この発明の実施の形態について図面を参照して説明する。図１は、本発明の顔画像認識システムにおいて顔画像をコード化するまでを示す図である。図１に示すように、基本的には、被写体を撮影して顔情報を読み取る情報入力手段２、顔パーツの形状データ抽出手段３、顔パーツデータベースとの形状マッチング処理手段４、顔パーツに大きさ、位置、傾き、色の情報を付加してコード化する手段５、表示した顔パーツを表示して手動にて調整し、再コード化する手段６、再コード化した顔パーツを表示・記憶・保存する手段７の各要素からなる。
【０００９】
各手段は数字の順のステップで進む。
被写体の映像１をＣＣＤカメラなどの情報入力手段２によって取込み記憶装置に記憶する。
【００１０】
次に、顔パーツの形状データ抽出手段３によって、記憶された被写体の顔から、目・鼻・口・眉・顎・髪顔等の顔パーツの形状データおよび各顔パーツの大きさ、位置、傾き、色の情報を抽出する。
【００１１】
次に、顔パーツデータベースとの形状マッチング処理手段４により、あらかじめ形状が保存されている顔パーツのデータベースとのマッチングを行い、形状の類似度を算出して最も類似性の高い顔パーツの形状を選択する。類型的な画風や特徴をもった画風の選択も併せ行う。
【００１２】
次に、コード化手段５により、選択された顔パーツに被写体から得られた大きさ、位置、傾き、色の情報を付加してコード化を行う。
【００１３】
次に、表示・調整・再コード化手段５により、コード化された顔を表示し、手動にて各顔パーツを調整し、決定された状態で再コード化する。
【００１４】
合成された顔とコード７は上記方法にて再コード化された顔に、コード名とその２次元バーコードを付加して表示した例である。
【００１５】
次に、表示・記憶・保存手段８により、再コード化した顔パーツを表示・記憶・保存する。
【００１６】
図２は、顔画像認識システムにおいてコード化以後の利用形態例を示す図である。
図２に示すように、基本的には、既に保存されている固有の顔のコードを入力する入力手段２、上記の顔のコードをユーザ端末からの通信が可能なサーバ装置に送信する送信手段３、上記サーバ装置から上記の顔のコードに該当する顔の画像データを受信する受信手段４、上記の顔のコードに該当する顔の画像データに変換する変換手段５、変換された顔の画像データを上記ユーザ端末に送信する送信手段６、受信した画像データを表示・記憶・保存する表示・記憶・保存手段７の各要素からなる。
【００１７】
各手段は数字の順のステップで進む。
２次元バーコード１や文字で既に作成された固有の顔のコードを入力手段２によって取込み記憶装置に記憶する。
【００１８】
次に、上記の顔のコードをユーザ端末からの通信が可能なサーバ装置に送信手段３により送信する。
【００１９】
次に、上記サーバ装置は受信手段４により上記の顔のコードに該当する顔の画像データを受信する。
【００２０】
次に、変換手段５により、上記の顔のコードに該当する顔の画像データに変換する。
【００２１】
次に、送信手段６により、変換された顔の画像データを上記ユーザ端末に送信する。
【００２２】
次に、表示・記憶・保存手段７により、受信した画像データを表示・記憶・保存する。
【００２３】
受信例８は受信した画像を携帯電話の待受け画面に利用した例である。
【図面の簡単な説明】
【００２４】
【図１】本発明の実施形態を示すフロー図
【図２】本発明の実施形態を示す説明図
【図１】
2007164408.tif 000003
【図２】
2007164408.tif 000004